(57)【要約】【課題】映像信号の記録に関わる情報の消失をなくす。【解決手段】映像記録装置１０１は、リモコン１００でＧコード録画予約した映像信号の記録時に、映像信号の記録に関わる情報を電子透かしとして映像信号に埋め込む。これにより、映像信号を符号化したりビデオキャプチャボードでパソコンに取り込んでも、電子透かし情報が消失をなくす。また、メーカ名や製造番号の情報も消えないため、録画によるコンテンツの不正利用の監視を可能とする。【選択図】  図１
2004260665.tif 000002
【特許請求の範囲】
【請求項１】
映像信号の記録時に、映像信号の記録に関わる情報を電子透かしとして映像信号に埋め込む関連情報付加手段を備えたことを特徴とする映像記録装置。
【請求項２】
前記映像信号の記録に関わる情報は、ＧコードあるいはＥＰＧによって入力した番組情報あるいは映像記録装置のメーカ名、製造番号であることを特徴とする請求項１記載の映像記録装置。
【請求項３】
前記映像信号の記録に関わる情報は、ビデオカメラを使って撮影を行った時の撮影者名、撮影日時、撮影者が入力したコメント情報及びビデオカメラのメーカ名、製造番号であることを特徴とする請求項１記載の映像記録装置。
【請求項４】
映像信号の記録に関わる情報を電子透かしとして映像信号に埋め込んだ映像信号を、ビデオキャプチャボードあるいは、ディジタルインタフェースを通じて、パソコンに取り込む手段と、取り込んだ映像信号から電子透かしを検出する手段と、前記電子透かしを使用して番組情報付きのディジタルアーカイブを作成する手段を備えたことを特徴とするビデオライブラリ作成装置。
【請求項５】
前記電子透かしを検出する手段は、映像信号に埋め込まれた電子透かしを検出する電子透かし検出部と、Ｇコード解読部と、電子透かし情報が有する映像記録装置のメーカ名・製造番号を検出する検出部を備えたことを特徴とする請求項４記載のビデオライブラリ作成装置。
【発明の詳細な説明】
【０００１】
【発明の属する技術分野】
本発明は、ビデオデッキやビデオカメラなど、映像の記録機能をもつ映像記録装置に係り、特に、映像信号の記録に関わる情報（映像関連情報）を付加した映像記録装置およびこの映像関連情報を利用したビデオライブラリ作成装置に関する。
【０００２】
【従来の技術】
従来、映像記録関連情報を利用した映像記録／再生方式には、Ｇコードを利用したものがある（例えば、特許文献１参照）。この従来方式によれば、自動頭出し機能を備えたＶＴＲ（ビデオデッキ）は、リモコン受光部により受信したＧコードに基いて、マイクロコンピュータの制御によりタイマー予約で映像記録ができる。
【０００３】
このとき、マイクロコンピュータは、Ｇコードをデコード（解読）してタイマー予約に関わる情報を得て、番組予約の設定を行い、番組の録画開始とともに、記録ヘッドによりＧコード自体を検索情報としてテープ上の番組の先頭部分に記録する。録画した番組の中から特定の番組を見たい時には、当該番組のＧコードをリモコンから入力することで、ＶＴＲでは番組の先頭に書き込まれたＧコードをサーチし、目的の番組の頭出しを行う。
【０００４】
さらに、テープの始めから終わりまで一旦早送りを行ってテープ中に記録されているＧコードをサーチし、すべてのＧコードを読み出す。そして、読み出したＧコードをデコードすることにより、予約録画された番組のチャネル、放送日、開始時刻、終了時刻等の予約情報がテレビジョンに一覧表示出来る。このため、利用者はこの番組情報表示から再生したい番組を指定することも出来る。
【０００５】
【特許文献１】
特開平９−６３２５４号公報
【０００６】
【発明が解決しようとする課題】
しかしながら、上記の記録／再生方式では、Ｇコードは、記録媒体上、映像信号が記録される領域とは別の領域に書き込まれるため、例えばビデオキャプチャボードを使ってＧコードが書き込まれた映像信号をパソコンに取り込むとＧコードが消失してしまい、番組のサーチ等が簡単には行えないという問題があった。
【０００７】
本発明の目的は、上記の課題を解決した映像記録装置、およびビデオライブラリ作成装置を提供することにある。
【０００８】
【課題を解決するための手段】
本発明は、上記課題を解決するため、映像信号の記録時に、映像信号の記録に関わる情報を電子透かしとして映像信号に埋め込み、この電子透かしを使用して番組情報付きのディジタルアーカイブを作成するようにしたもので、以下の構成を特徴とする。
【０００９】
（映像記録装置の発明）
（１）映像信号の記録時に、映像信号の記録に関わる情報を電子透かしとして映像信号に埋め込む関連情報付加手段を備えたことを特徴とする。
【００１０】
（２）前記映像信号の記録に関わる情報は、ＧコードあるいはＥＰＧによって入力した番組情報あるいは映像記録装置のメーカ名、製造番号であることを特徴とする。
【００１１】
（３）前記映像信号の記録に関わる情報は、ビデオカメラを使って撮影を行った時の撮影者名、撮影日時、撮影者が入力したコメント情報及びビデオカメラのメーカ名、製造番号であることを特徴とする。
【００１２】
（ビデオライブラリ作成装置の発明）
（４）映像信号の記録に関わる情報を電子透かしとして映像信号に埋め込んだ映像信号を、ビデオキャプチャボードあるいは、ディジタルインタフェースを通じて、パソコンに取り込む手段と、取り込んだ映像信号から電子透かしを検出する手段と、前記電子透かしを使用して番組情報付きのディジタルアーカイブを作成する手段を備えたことを特徴とする。
【００１３】
（５）前記電子透かしを検出する手段は、映像信号に埋め込まれた電子透かしを検出する電子透かし検出部と、Ｇコード解読部と、電子透かし情報が有する映像記録装置のメーカ名・製造番号を検出する検出部を備えたことを特徴とする。
【００１４】
【発明の実施の形態】
図１は、本発明の実施形態を示す映像記録装置の全体構成図である。同図の映像記録装置は、従来のＧコードを使った予約録画機能を搭載した装置を利用した場合である。この予約録画機能は、利用者はリモコン１００のテンキーを使って新聞のＴＶ番組表の各番組に記載されている８桁のＧコードを入力することにより、Ｇコードで特定する番組の予約録画を映像記録装置１０１に指示しておき、装置１０１では当該Ｇコードを解読したタイマー時刻になると指定チャンネルのテレビ放送電波をアンテナ１０２を通して受信し、ビデオテープ等に記録する。
【００１５】
図２は、図１における映像記録装置１０１の要部ブロック構成を示す。番組を予約録画する利用者は、リモコン１００を使い新聞のテレビ番組欄に掲載されている最大８桁のＧコードを入力する。Ｇコードとは、予約録画する場合に必要な日付、放送のチャネル、番組開始時間、番組の長さから構成される情報を米国ジェムスター社が開発した圧縮コーディングの技術により最大８桁の長さに置きかえられた数字である。
【００１６】
受信したＧコードは、リモコン受信部２００、Ｇコード抽出部２０１を経て、Ｇコード解読部２０２で録画に必要な放送日、放送チャネル、開始時刻、番組の長きの情報を得る。その結果、ＴＶチューナ制御部２０３では、録画開示時刻になるとＴＶチューナ２０４の受信チャンネル等を制御し、ＴＶチューナ２０４では放送波から所望のチャネルの映像信号を選択し、与えられた放送時間の間、当該映像信号を電子透かし埋めこみ部２０７に送る。
【００１７】
一方、Ｇコード抽出部２０１で得たＧコード及びエンコード部２０５で得る装置のメーカコード・機器番号（製造番号）を利用して、電子透かし生成部２０６は電子透かし情報を生成する。電子透かし埋めこみ部２０７では、ＴＶチューナ２０４からの映像信号に電子透かし生成部２０６で作られた電子透かしを埋め込む。この電子透かし埋め込みは、インターネット通信での映像配信等に利用されている公知技術を利用することができる。
【００１８】
画像蓄積部２０８は、電子透かし情報が埋め込まれた映像信号を蓄積する。この画像蓄積部２０８は、ビデオデッキやビデオカメラの場合、ビデオテープ、ＤＶＤレコーダの場合、ＤＶＤ−Ｒ、ＤＶＤ−ＲＷ，ＤＶＤ−ＲＡＭ、パソコンの場合にはハードディスクなどが考えられる。
【００１９】
映像の再生は、映像読取り部２０９で実行され、映像信号出力として映像再生機能をもつ装置（テレビやパソコンなど）に出力される。
【００２０】
なお、図２の実施形態ではリモコンからＧコードを入力する方法を示したが、それに限られるものでなく、電子番組ガイド（Ｅｌｅｃｔｒｏｎｉｃ  Ｐｒｏｇｒａｍ  Ｇｕｉｄｅ；以下ＥＰＧと略す）を利用し、電波の隙間を使って送出される番組表データを元に、予約番組を指定する方法でも良い。また、ビデオカメラで撮影する時の映像の記録に関する情報としては、撮影者、撮影日時、撮影者が入力したコメント、ビデオカメラのメーカ名・製造番号である。
【００２１】
また、このような電子透かし情報が埋め込まれた映像信号をビデオキャプチャボードなどに取り込めば、番組付きのディジタルアーカイブを自動的に作成することが出来る。
【００２２】
図３には電子透かし検出装置を示す。映像記録装置１０１で記録された映像信号を再生装置で再生し、その映像信号入力した電子透かし検出部３０１において映像信号に埋め込まれた電子透かしを抽出する。映像信号とは別に記録されたＧコードについてはＧコード解読部２０２において、放送の日時、チャネルに関わる情報をＧコード解読結果出力３０４に出力する。この出力を利用することで、記録された番組の一覧表が作成できる。また、メーカ名／製造番号検出部３０３は、電子透かしに含まれるメーカ名／製造番号を検出し、この出力を利用することで、コンテンツの流通を監視して不正利用を探索することができる。
【００２３】
【発明の効果】
以上のとおり、本発明によれば、電子透かしを映像信号の中に埋め込むため、映像信号を符号化したりビデオキャプチャボードでパソコンに取り込んでも、電子透かし情報が消失しないため、Ｇコードなどの番組情報等、映像信号の記録に関する情報が消えないという効果がある。
【００２４】
また、メーカ名や製造番号の情報も消えないため、録画によるコンテンツの不正利用の監視が可能となる。
【図面の簡単な説明】
【図１】本発明の実施形態を示す映像記録装置の全体構成図。
【図２】実施形態における映像記録装置の要部ブロック構成図。
【図３】実施形態における電子透かし検出装置の構成図。
【符号の説明】
１００…リモコン
１０１…映像記録装置
１０２…アンテナ
２００…リモコン受信部
２０１…Ｇコード抽出部
２０２…Ｇコード解読部
２０３…ＴＶチューナ制御部
２０４…ＴＶチューナ
２０５…エンコード部
２０６…電子透かし生成部
２０７…電子透かし埋め込み部
２０８…画像蓄積部
２０９…映像読取部
【図１】
2004260665.tif 000003
【図２】
2004260665.tif 000004
【図３】
2004260665.tif 000005